(57)【要約】  本発明は改良型空気調和システムに関する。改良型空気調和システムにおいて、空気調和装置（１）が、気候影響インピーダンス手段（３）に接続される制御ライン（２）を有する。本発明によれば、継電手段（４）が制御ユニット（６）の出力（５）の影響下で前記制御ラインから前記気候影響インピーダンス手段の接続を切断し、前記制御ユニットの第２の出力（８）により制御されるインピーダンスをもたらす代替手段（７）を代わりに接続する。後者は処理装置（９）に接続され、前記処理装置は複数の気候影響情報手段（１０、１１、１２）から情報を受信し、この情報を数学モデルで処理することにより、前記代替手段のインピーダンスを前記制御ユニットを介して制御する。【選択図】図１
2014533345.tif 000002
【特許請求の範囲】
【請求項１】
空気調和装置（１）が、気候影響インピーダンス手段（３）に接続される制御ライン（２）を有し、
継電手段（４）が制御ユニット（６）の出力（５）の影響下で前記制御ラインから前記気候影響インピーダンス手段の接続を切断し、前記制御ユニットの第２の出力（８）により制御されるインピーダンスをもたらす代替手段（７）を代わりに接続し、後者は処理装置（９）に接続され、前記処理装置は複数の気候影響情報手段（１０、１１、１２）から情報を受信し、前記情報を数学モデルで処理することにより、前記代替手段のインピーダンスを前記制御ユニットを介して制御することを特徴とする、改良型空気調和システム。 
【請求項２】
前記制御ユニットは測定手段（１３）を有し、前記測定手段は、前記気候影響インピーダンス手段の切断状態で前記気候影響インピーダンス手段の特性を測定することにより、少なくとも初期に前記代替手段のインピーダンスを制御し、頻繁に前記特性を検証して、接続状態に戻せるようにすることを特徴とする、請求項１に記載の改良型空気調和システム。 
【請求項３】
好適なガルバーニ分離手段（１４、１５）が前記制御ユニットの前記測定手段と前記第２の出力用に設けられることを特徴とする、請求項２に記載の改良型空気調和システム。 
【請求項４】
前記ガルバーニ分離手段は複数のコンデンサから成り、前記代替手段はＡＣ／ＤＣコンバータ手段（１６）および電圧制御インピーダンス手段（１７）を有することを特徴とする、請求項３に記載の改良型空気調和システム。 
【請求項５】
前記制御ユニットは極性検出手段（１８）を有し、前記極性検出手段は、センサ線への接続が適切な極性の電圧をもたらしているか否かの指標を得るように前記代替手段に接続され、前記代替手段の接続は前記指標に依存し、双極双方向継電器（１９）を用いて、前記制御ユニットの維持または反転される第３の出力（２０）で制御されることを特徴とする、請求項１に記載の改良型空気調和システム。
【発明の詳細な説明】
【技術分野】
【０００１】
本発明は、制御ラインが気候影響インピーダンス手段に接続されるように配置された空気調和装置を含む改良型空気調和システムに関する。
【背景技術】
【０００２】
このような空気調和システムは多くの設備に使われており、エネルギーの消費量が大きい。一般に使用者、特に国際社会にとって、エネルギー消費の削減が望まれている。新しいシステムは、気候快適性を維持しつつエネルギーを節約することができるが、現在使われている設備のうちのごく少数だけが近い将来新しいシステムへの置換が見込まれている。使用者は、新しい設備に投資する代わりに快適性を下げることでエネルギー消費を削減することがある。気候快適性を犠牲にせずにエネルギーが節約できれば、巨大市場への道が拡がるはずである。
【発明の概要】
【０００３】
本発明によれば、継電手段が上記のような空気調和システムに設けられ、制御ユニットの出力の影響下で制御ラインから気候影響インピーダンス手段の接続を切断し、制御ユニットの第２の出力により制御されるインピーダンスをもたらす代替手段を代わりに接続する。後者は処理装置に接続されるが、この処理装置は複数の気候影響情報手段から情報を受信し、この情報を数学モデルで処理することにより、代替手段のインピーダンスを制御ユニットを介して制御する。
【図面の簡単な説明】
【０００４】
本発明の改良型空気調和システムを図面（図１）を参照しながら説明する。
【図１】好ましい実施形態のブロック図である。
【発明を実施するための形態】
【０００５】
図１は改良型空気調和システムのブロック図である。改良型空気調和システムにおいて、空気調和装置１は気候影響インピーダンス手段３に接続される制御ライン２を有する。本発明によれば、継電手段４は制御ユニット６の出力５の影響下で制御ライン２から気候影響インピーダンス手段３の接続を切断し、制御ユニット６の第２の出力８により制御されるインピーダンスをもたらす代替手段７を代わりに接続する。後者は処理装置９に接続される。処理装置９は複数の気候影響情報手段１０、１１、１２から情報を受信し、この情報を数学モデルで処理することにより、代替手段７のインピーダンスを制御ユニット６を介して制御する。
【０００６】
制御ユニット６には好適な測定手段１３が設けられる。測定手段１３は、気候影響インピーダンス手段３の切断状態で気候影響インピーダンス手段３の特性を測定することにより、少なくとも初期に代替手段７のインピーダンスを制御し、頻繁に同特性を検証して、接続状態に戻せるようにする。好適なガルバーニ分離手段１４、１５は制御ユニット６の測定手段１３と第２の出力８用に設けられる。本実施例によれば、これらのガルバーニ分離手段は複数のコンデンサから成り、代替手段７はＡＣ／ＤＣコンバータ１６および電圧制御インピーダンス手段１７を有する。
【０００７】
制御ユニット６は極性検出手段１８を有し、この極性検出手段１８は、センサ線２への接続が適切な極性の電圧をもたらしているか否かの指標を得るように代替手段７に接続されている。代替手段７の接続はこの指標に依存し、双極双方向継電器１９を用いて、制御ユニット５の維持または反転される第３の出力２０で制御される。極性検出手段１８は光結合素子から成り、光結合素子の発光ダイオードは代替手段７に接続され、保護ダイオードとして機能し、極性が適切でない場合に制御ユニット６に信号を送る。
【０００８】
当業者は、上述したように様々な実施形態において添付の特許請求の範囲の要旨を逸脱しない範囲で本発明を用いることができる。例えば、ＡＣ／ＤＣコンバータ１６、電圧制御インピーダンス手段１７、ガルバーニ分離手段１５のコンデンサは光結合素子に置き換えることができる。処理装置９は、通信網を用いて複数のローカル設備の気候影響情報手段から情報を受信するように構成することができ、また、暖房および／または冷房用の空気調和装置が多く設置された建物を有する可能性のあるローカル設備の１棟ごとに継続的に最適化された数学モデルで当該情報を処理するように構成することができる。
【０００９】
気候影響インピーダンス手段３の周知の実施形態はサーミスタおよび相対湿度を示す容量センサが設けられたサーモスタットである。このような実施形態は気候影響情報手段１０、１１、１２にも有用だが、このような実施形態のうち好適な実施形態を加えて、使用者の反応を伝達することができ、その反応は、エネルギー節約のための気候快適レベルを受け入れる「Ｏｋ」、より低いエネルギー節約の費用でより高い快適性を求める「Ｎｏｔ  Ｏｋ」だけに集約されることが好ましい。本発明では、特定用途向け機器のユーザーに馴染みやすい実施形態を、一般的なスマートモバイルデバイス向けのアプリケーション・ソフトウェア・ソリューションによって補足することができる。
【図１】
2014533345.tif 000003
【国際調査報告】
2014533345.tif 000004
2014533345.tif 000005
2014533345.tif 000006
2014533345.tif 000007